(57)【要約】      （修正有）【課題】複数の回転体が相互干渉してコマ玩具の動きを決定することで、今までにない特徴的な動きをするコマ玩具を提供する。【解決手段】独立して回転する複数の回転体と、該複数の回転体を連結する連結部３０とを備えるようにした。これにより、独立して回転する複数の回転体２０が相互干渉してコマ玩具１０の動きを決定するとともに、複数の回転体の回転速度や回転方向を変化させることで様々な動き方をする。【選択図】図２
0003170339.tif 000002
【実用新案登録請求の範囲】
【請求項１】
独立して回転する複数の回転体と、
前記複数の回転体を連結する連結部と、
を備えることを特徴とする、コマ玩具。
【請求項２】
前記複数の回転体の回転軸は互いに平行ではないことを特徴とする、請求項１記載のコマ玩具。
【請求項３】
前記複数の回転体の回転軸の傾き又は間隔を変更可能であることを特徴とする、請求項１又は２記載のコマ玩具。
【請求項４】
前記連結部を交換することにより、前記複数の回転体の回転軸の傾き又は間隔を変更可能であることを特徴とする、請求項３記載のコマ玩具。
【請求項５】
前記複数の回転体に任意の回転速度及び回転方向で回転力を付与するための加勢手段を備えていることを特徴とする、請求項１〜４のいずれかに記載のコマ玩具。
【請求項６】
前記加勢手段は、回転速度及び回転方向の少なくともいずれかが互いに異なるように前記複数の回転体に回転力を付与可能であることを特徴とする、請求項５記載のコマ玩具。
【請求項７】
前記複数の回転体は、曲面で形成された先端部が接地して回転することを特徴とする、請求項１〜６のいずれかに記載のコマ玩具。
【請求項８】
前記回転体のパーツ交換により前記先端部の曲面の傾斜又は材質を変更可能であることを特徴とする、請求項７記載のコマ玩具。
【考案の詳細な説明】
【技術分野】
【０００１】
この考案は、独立して回転する複数の回転体を有するコマ玩具に関するものである。
【背景技術】
【０００２】
一般的なコマ玩具は１つの回転体を１つの発射用具（紐など）で回して遊ぶものであるが、こうしたものに限らず、種々のコマ玩具が提案されている。
【０００３】
例えば、特許文献１には、同時に２個のコマを回す発射装置が開示されている。
【０００４】
また、特許文献２には、回転玩具体を回転させることにより、回転玩具体に保持されていたプロペラ体を回転、飛翔させることができる玩具が開示されている。
【先行技術文献】
【特許文献】
【０００５】
【特許文献１】実用新案登録第３０９０５８０号公報
【特許文献２】特開２００３−１９０６４７号公報
【考案の概要】
【考案が解決しようとする課題】
【０００６】
しかし、上記した特許文献１及び特許文献２記載の玩具は、複数の回転体（２個のコマ、又は、回転玩具体とプロペラ体）が一回の発射操作により同時に回転することに特徴を有するものであり、独立して回転する複数の回転体が相互干渉してコマ玩具が作動するものではなかった。
【０００７】
そこで、本考案は、独立して回転する複数の回転体が相互干渉してコマ玩具の動きを決定することで、今までにない特徴的な動きをするコマ玩具を提供することを課題とする。
【課題を解決するための手段】
【０００８】
本考案は、上記した課題を解決するためになされたものであり、以下を特徴とする。
【０００９】
（請求項１）
請求項１に記載の考案は、以下の点を特徴とする。
【００１０】
すなわち、請求項１に記載のコマ玩具は、独立して回転する複数の回転体と、前記複数の回転体を連結する連結部と、を備えることを特徴とする。
【００１１】
（請求項２）
請求項２に記載の考案は、上記した請求項１記載の考案の特徴点に加え、以下の点を特徴とする。
【００１２】
すなわち、前記複数の回転体の回転軸は互いに平行ではないことを特徴とする。
【００１３】
（請求項３）
請求項３に記載の考案は、上記した請求項１又は２記載の考案の特徴点に加え、以下の点を特徴とする。
【００１４】
すなわち、前記複数の回転体の回転軸の傾き又は間隔を変更可能であることを特徴とする。
【００１５】
（請求項４）
請求項４に記載の考案は、上記した請求項３記載の考案の特徴点に加え、以下の点を特徴とする。
【００１６】
すなわち、前記連結部を交換することにより、前記複数の回転体の回転軸の傾き又は間隔を変更可能であることを特徴とする。
【００１７】
（請求項５）
請求項５に記載の考案は、上記した請求項１〜４のいずれかに記載の考案の特徴点に加え、以下の点を特徴とする。
【００１８】
すなわち、前記複数の回転体に任意の回転速度及び回転方向で回転力を付与するための加勢手段を備えていることを特徴とする。
【００１９】
（請求項６）
請求項６に記載の考案は、上記した請求項５記載の考案の特徴点に加え、以下の点を特徴とする。
【００２０】
すなわち、前記加勢手段は、回転速度及び回転方向の少なくともいずれかが互いに異なるように前記複数の回転体に回転力を付与可能であることを特徴とする。
【００２１】
（請求項７）
請求項７に記載の考案は、上記した請求項１〜６のいずれかに記載の考案の特徴点に加え、以下の点を特徴とする。
【００２２】
すなわち、前記複数の回転体は、曲面で形成された先端部が接地して回転することを特徴とする。
【００２３】
（請求項８）
請求項８に記載の考案は、上記した請求項７記載の考案の特徴点に加え、以下の点を特徴とする。
【００２４】
すなわち、前記回転体のパーツ交換により前記先端部の曲面の傾斜又は材質を変更可能であることを特徴とする。
【考案の効果】
【００２５】
請求項１に記載の考案は上記の通りであり、独立して回転する複数の回転体と、前記複数の回転体を連結する連結部と、を備えている。これにより、独立して回転する複数の回転体が相互干渉してコマ玩具の動きを決定するように形成されているとともに、複数の回転体の回転速度や回転方向を変化させることで様々な動き方をするように形成されている。よって、今までにない特徴的な動きをするコマ玩具を提供することができる。
【００２６】
また、請求項２に記載の考案は上記の通りであり、前記複数の回転体の回転軸は互いに平行ではないので、単に複数の回転体を連結した場合に比べて予測困難な動きをさせることができる。
【００２７】
また、請求項３に記載の考案は上記の通りであり、前記複数の回転体の回転軸の傾き又は間隔を変更可能であるため、回転軸の傾きや間隔を変えることによってコマ玩具の動きを変更・調整することができる。
【００２８】
また、請求項４に記載の考案は上記の通りであり、前記連結部を交換することにより、前記複数の回転体の回転軸の傾き又は間隔を変更可能となっている。このため、用意されたパーツを組み合わせるだけで容易に回転軸の傾き又は間隔を調整することができる。
【００２９】
また、請求項５に記載の考案は上記の通りであり、前記複数の回転体に任意の回転速度及び回転方向で回転力を付与するための加勢手段を備えている。このため、回転体の回転速度や回転方向を変化させることでコマ玩具の動き方を変化させることができるので、動きの変化のバリエーションを豊富に提供できる。
【００３０】
また、請求項６に記載の考案は上記の通りであり、加勢手段は、回転速度及び回転方向の少なくともいずれかが互いに異なるように前記複数の回転体に回転力を付与可能である。このため、回転体の回転速度や回転方向の組み合せを変化させることでコマ玩具の動き方を変化させることができるので、動きの変化のバリエーションを更に豊富に提供できる。
【００３１】
また、請求項７に記載の考案は上記の通りであり、前記複数の回転体は、曲面で形成された先端部が接地して回転する。これにより、回転軸が傾いたときの回転体の接地位置が微妙に変わり、回転軸の傾きを変えたことによるコマ玩具の動きの変化を顕著とすることができる。
【００３２】
また、請求項８に記載の考案は上記の通りであり、前記回転体のパーツ交換により前記先端部の曲面の傾斜又は材質を変更可能である。このため、先端部を変更することでコマ玩具の動きを変化させることができ、更に動きの変化のバリエーションを豊富とすることができる。
【図面の簡単な説明】
【００３３】
【図１】コマ玩具の平面図である。
【図２】コマ玩具の正面図である。
【図３】上カバー及び連結部を外したコマ玩具の平面図である。
【図４】連結部の外観斜視図である。
【図５】連結部の（ａ）平面図、（ｂ）正面図、（ｃ）側面図である。
【図６】ベルト体によってコマ玩具に回転力が付与される様子を示す図であって、（ａ）ベルト体を差し込む前の図、（ｂ）ベルト体を引き抜き中の図である。
【図７】コマ玩具の動きを説明する図であって、（ａ）２つの回転体を同一方向に回転させた場合の図、（ｂ）回転力の強弱に差をつけて２つの回転体を同一方向に回転させた場合の図、（ｃ）１つの回転体のみを回転させた場合の図である。
【図８】コマ玩具の動きを説明する図であって、（ａ）２つの回転体を逆方向に回転させた場合の図、（ｂ）回転力の強弱に差をつけて２つの回転体を逆方向に回転させた場合の図である。
【図９】部材の長さを変更した連結部の（ａ）平面図、（ｂ）正面図、（ｃ）側面図である。
【図１０】傾き度合いを変更した連結部の（ａ）平面図、（ｂ）正面図、（ｃ）側面図である。
【図１１】傾きの方向を変更した連結部の外観斜視図である。
【図１２】傾きの方向を変更した連結部の（ａ）平面図、（ｂ）正面図、（ｃ）側面図である。
【図１３】傾きの方向を変更した連結部を使用したコマ玩具の動きを説明する図であって、（ａ）２つの回転体を同一方向に回転させた場合の図、（ｂ）回転力の強弱に差をつけて２つの回転体を同一方向に回転させた場合の図である。
【図１４】ボディ部及び先端部を交換する様子を示す図である。
【考案を実施するための形態】
【００３４】
本考案の実施形態について、図を参照しつつ説明する。
【００３５】
本実施形態に係るコマ玩具１０は、図１に示すように、独立して回転する２つの回転体２０と、この２つの回転体２０をそれぞれ回転可能に保持する２つのケース体１１と、この２つのケース体１１の間に設けられて２つの回転体２０を連結する連結部３０と、を備えている。
【００３６】
ケース体１１は、図１及び図２に示すように、上カバー１２と下カバー１３とがカバー固定ネジ１６によってネジ接合されたものである。このケース体１１は、正面及び背面にベルト差込口１１ａが開口形成されており、この正面及び背面のベルト差込口１１ａを連通させるようにベルト挿通路１１ｂが形成されている。このベルト挿通路１１ｂは、後述するベルト体４０を通すためのものである。
【００３７】
回転体２０は、図２に示すように、ケース体１１の下方に突出する回転軸２１と、回転軸２１に固定された円盤状のボディ部２２と、ボディ部２２の更に下で回転軸２１に固定された先端部２３と、を備えている。回転体２０は、後述するように回転軸２１に回転力が付与されたときに、回転軸２１、ボディ部２２、及び、先端部２３が一体的に回転するように固定されている。
【００３８】
なお、本実施形態におけるボディ部２２は、図１に示すように平面視でケース体１１よりも外側に突出するとともに金属で形成されており、複数のコマ玩具１０を同時に回転させて遊んだ時に、コマ玩具１０が金属製のボディ部２２を互いに衝突させて遊ぶことができるように形成されている。
【００３９】
また、本実施形態における先端部２３の下面は、図２に示すように曲面で形成されており、この曲面で接地して回転するように形成されている。このため、回転軸２１が傾いている場合には、曲面の周側面が接地して回転する。
【００４０】
連結部３０は、図４及び図５に示すように、中央のブリッジ３１の両側に連結端部３２を突出させた部材である。連結端部３２は、ケース体１１の連結狭持部１３ｂ（図３参照）に収まる大きさで形成されており、連結狭持部１３ｂの連結用ネジ孔１３ｃと対応する位置にネジ孔３２ａが貫通形成されている。これにより、連結部３０は、ケース体１１の連結狭持部１３ｂに対して連結部３０を差し込んだ上で、連結用ネジ孔１３ｃとネジ孔３２ａとを貫通するように連結ネジ１７で締め付け固定することで、ケース体１１に対して接続できるように形成されている。コマ玩具１０の使用時には、図１及び図２に示すように、両側の連結部３０にそれぞれケース体１１を接続することで、２つの回転体２０を連結する。
【００４１】
前記したケース体１１の内部には、図３に示すように、ベルト挿通路１１ｂを形成する溝部１３ａが凹設されるとともに、この溝部１３ａとオーバーラップするように歯車収容部１３ｄが凹設されている。歯車収容部１３ｄには、第１歯車１４と第２歯車１５との２つの歯車が互いに噛合して配置されている。
【００４２】
なお、第１歯車１４は、図３に示すように、ケース体１１に対して第１回転軸１４ａを中心に回転可能に軸支されるものである。この第１歯車１４は、歯の一部がベルト挿通路１１ｂ上に位置するように軸支されており、これにより、ベルト挿通路１１ｂにベルト体４０を差し込んだときに、ベルト体４０のラックギア４１（後述）と噛合可能となっている。
【００４３】
また、第２歯車１５は、回転体２０の回転軸２１を中心として、この回転軸２１と一体的に回転するものであり、すなわち、この第２歯車１５が回転したときには、一体的に回転体２０が回転するように形成されている。
【００４４】
なお、図３においては説明の便宜上、下カバー１３についてのみ記載しているが、上カバー１２においても、下カバー１３と相対する位置に溝部１３ａ、連結狭持部１３ｂ、連結用ネジ孔１３ｃ、歯車収容部１３ｄ、カバー固定用ネジ孔１３ｅが形成されている。また、この上カバー１２と下カバー１３とは、互いに相対する位置に設けられたカバー固定用ネジ孔１３ｅにカバー固定ネジ１６が螺合されることで重ね合わせた状態で固定され、第１歯車１４や第２歯車１５を内部に収容した状態でケース体１１を構成する。
【００４５】
ところで、上記した連結部３０は、図５（ｂ）に示すように、両側の連結端部３２の突出方向が水平ではなく、一定の傾きをもつようになっており、これによりケース体１１及び回転体２０を傾いて保持するように形成されている（図２参照）。このため、２つの回転体２０の回転軸２１は互いに平行ではなく、回転体２０が横並びとなる方向に見たときに回転軸２１が下に行くに従って互いに離反する方向に傾いている。本実施形態においては、連結部３０のブリッジ３１の傾き（図５（ｂ）正面視傾きＤ１参照）を２０度に設定しており、これにより、２つの回転体２０が開き方向に２０度の傾きをもつようになっている。
【００４６】
このコマ玩具１０を作動させるときには、図６に示すようなベルト体４０を使用する。このベルト体４０は、２つの回転体２０に回転力を付与するための加勢手段であって、前記した第１歯車１４と噛合するラックギア４１を備えており、一端部に把持用の取っ手４２を備えたものである。
【００４７】
具体的には、図６（ａ）に示すように、このベルト体４０をケース体１１のベルト差込口１１ａから挿入し、ベルト挿通路１１ｂに貫通させる。このとき、ベルト体４０のラックギア４１が第１歯車１４と噛合するようにベルト体４０の表裏を合わせて差し込む。そして、図６（ｂ）に示すように、ベルト体４０を一気に引き抜くことで、第１歯車１４を回転させる。第１歯車１４が回転すると、第１歯車１４に噛合する第２歯車１５が回転し、回転体２０が回転する。
【００４８】
なお、２つの回転体２０はそれぞれ独立して回転するものであるため、このベルト体４０による回転力の付与は、２つの回転体２０それぞれに対して行う。このとき、ベルト体４０の引き抜きの速さなどを調節すれば、２つの回転体２０の回転速度が異なるように回転体２０に回転力を付与することもできる。また、ベルト体４０の挿入方向（正面側のベルト差込口１１ａからベルト体４０を挿入するか、背面側のベルト差込口１１ａからベルト体４０を挿入するか）によって、回転体２０の回転方向を変化させることもでき、２つの回転体２０の回転方向が異なるように回転体２０に回転力を付与することもできる。
【００４９】
図７及び図８は、図４及び図５に示す連結部３０を使用して２つの回転体２０を連結したコマ玩具１０において、回転体２０の回転速度及び回転方向を変化させた場合の作動例を示す図である。
【００５０】
図７（ａ）は、２つの回転体２０を同じ回転速度で同一方向に回転させた場合のコマ玩具１０の作動を示す図である。このように２つの回転体２０を回転させたコマ玩具１０を地表面に置くと、コマ玩具１０は２つの回転体２０の回転軸２１の中間点を中心に旋回する。
【００５１】
図７（ｂ）は、回転力の強弱に差をつけて２つの回転体２０を同一方向に回転させた場合の図である。このように２つの回転体２０を回転させたコマ玩具１０を地表面に置くと、コマ玩具１０は２つの回転体２０の回転軸２１を結んだ線上であって、回転力の弱い回転体Ｂ寄りの位置を中心に旋回する。
【００５２】
図７（ｃ）は、１つの回転体Ａのみを回転させた場合の図である。このように２つの回転体２０を回転させたコマ玩具１０を地表面に置くと、コマ玩具１０は回転していない回転体Ｂの接地位置を中心に旋回する。
【００５３】
図８（ａ）は、２つの回転体２０を同じ回転速度で逆方向に回転させた場合のコマ玩具１０の作動を示す図である。このように２つの回転体２０を回転させたコマ玩具１０を地表面に置くと、コマ玩具１０は２つの回転体２０の回転軸２１を結んだ線と直交する方向に直進する。
【００５４】
図８（ｂ）は、回転力の強弱に差をつけて２つの回転体２０を逆方向に回転させた場合の図である。このように２つの回転体２０を回転させたコマ玩具１０を地表面に置くと、コマ玩具１０は回転力の弱い回転体Ｂの周囲を回転力の強い回転体Ａが巻き込むように弧を描きつつ前進する。
【００５５】
ところで、本実施形態に係るコマ玩具１０は、連結部３０を交換することにより、２つの回転体２０の回転軸２１の傾き及び間隔を変更可能となっている。
【００５６】
図９〜図１２は、上記した連結部３０に代えて使用可能な連結部３０を示す図であり、ここでは３つの交換可能な連結部３０について説明する。なお、これらの連結部３０は、すでに説明した図４及び図５に示す連結部３０と同形の連結端部３２及びネジ孔３２ａを有している。このため、この連結端部３２及びネジ孔３２ａを使用することで、図４及び図５に示す連結部３０と同様に、ケース体１１の連結狭持部１３ｂ及び連結用ネジ孔１３ｃに接続可能となっている。
【００５７】
図９は、第１の交換可能な連結部３０を示す図である。この連結部３０は、図４及び図５に示す連結部３０と比較して、ブリッジ３１の長さＳを長く設定したものである。このようにブリッジ３１の長さＳを変更することで、回転体２０の回転軸２１の間隔を変更することができる。回転体２０の回転軸２１の間隔を変更することにより、例えば図７（ｃ）で示すように一方の回転体２０の周囲を他方の回転体２０が回転する場合において、その回転の直径を変化させることができる。
【００５８】
図１０は、第２の交換可能な連結部３０を示す図である。この連結部３０は、図４及び図５に示す連結部３０と比較して、ブリッジ３１の正面視傾きＤ１を大きくしたものである（具体的には正面視傾きＤ１を３０度に設定している）。このようにブリッジ３１の正面視傾きＤ１を変更すれば、回転体２０の回転軸２１の傾きを変更することができる。回転体２０の回転軸２１の傾きを変更することにより、曲面で形成された先端部２３の接地位置が変わるため、回転体２０の作動を変化させることができる。具体的には、傾きを大きくすれば、それだけ先端部２３の上の方で接地して、接地する外周の径が大きくなるため、推進力は大きくなるものの、負荷が増大して回転力が漸次減少する度合いが大きくなる（停止までの時間が短くなる）。
【００５９】
図１１及び図１２は、第３の交換可能な連結部３０を示す図である。この連結部３０は、図４及び図５に示す連結部３０とは異なる方向に連結端部３２を傾けたものである。すなわち、この図１１及び図１２で示す連結部３０は、回転体２０が横並びとなる方向に見たときの回転軸２１が傾く方向にではなく、回転体２０が重なる方向に見たときの回転軸２１が傾く方向に連結端部３２を傾けている。言い換えると、正面視傾きＤ１（図５参照）を設ける代わりに、側面視傾きＤ２（正面視傾きＤ１に直交する方向への傾き。図１２（ｃ）参照）を設けている。
【００６０】
なお、本実施形態においては上記した側面視傾きＤ２を２０度に設定している。このため、この連結部３０を使用して２つの回転体２０を連結すると、この２つの回転体２０の回転軸２１は、回転体２０が重なる方向に見たときに交差するように互いに２０度傾くように形成されている。
【００６１】
図１３は、この側面視傾きＤ２を持った連結部３０を使用したコマ玩具１０の作動例を示す図である。
【００６２】
図１３（ａ）は、２つの回転体２０を同じ回転速度で逆方向に回転させた場合のコマ玩具１０の作動を示す図である。このように２つの回転体２０を回転させたコマ玩具１０を地表面に置くと、コマ玩具１０は２つの回転軸２１を結んだ線の延長線方向に直進する。
【００６３】
図１３（ｂ）は、回転力の強弱に差をつけて２つの回転体２０を逆方向に回転させた場合の図である。この場合におけるコマ玩具１０も、２つの回転軸２１を結んだ線の延長線方向に直進するが、図１３（ａ）のときよりも推進力が小さいため、図１３（ａ）と比較するとスピードが遅くなる。
【００６４】
なお、ここで説明した連結部３０は単なる例示に過ぎず、これ以外の連結部３０を使用してもよい。例えば、正面視傾きＤ１及び側面視傾きＤ２傾きの大きさは上記したものに限らず、０〜９０度の範囲で任意に設定することが可能である。また、傾きの方向は、正面視傾きＤ１及び側面視傾きＤ２のいずれかにのみ傾ける態様に限らず、正面視傾きＤ１にも側面視傾きＤ２にも傾けるようにしてもよい。
【００６５】
ところで、本実施形態に係る回転体２０は、ボディ部２２及び先端部２３をパーツ交換できるように形成されている。図１４に示すように、回転軸２１の下端部には雄ネジ部２１ａが設けられており、ボディ部２２及び先端部２３の平面視中央には、この雄ネジ部２１ａと螺合する雌ネジ（図示せず）が形成されている。ボディ部２２及び先端部２３をパーツ交換する際には、この雄ネジ部２１ａと雌ネジとの螺合を解き（図１４（ａ）参照）、別のボディ部２２及び先端部２３を雄ネジ部２１ａに螺合させて取り付ける（図１４（ｂ）参照）。このパーツ交換により、ボディ部２２のデザインを変えたり、先端部２３の曲面の傾斜又は材質を変更することができる。なお、変更可能な先端部２３の材質としては、樹脂、金属、ゴムなどが使用される。このように材質の違う先端部２３を使用することによって、回転体２０が回転する際の摩擦係数を変化させることができ、回転体２０の回転に変化を持たせることができる。
【００６６】
本実施形態に係るコマ玩具１０は上記の通りであり、独立して回転する複数の回転体２０と、前記複数の回転体２０を連結する連結部３０と、を備えている。これにより、独立して回転する複数の回転体２０が相互干渉してコマ玩具１０の動きを決定するように形成されるとともに、複数の回転体２０の回転速度や回転方向を変化させることで様々な動き方をするように形成されている。よって、今までにない特徴的な動きをするコマ玩具１０を提供することができる。
【００６７】
また、前記複数の回転体２０の回転軸２１は互いに平行ではないので、単に複数の回転体２０を連結した場合に比べて予測困難な動きをさせることができる。
【００６８】
また、前記複数の回転体２０の回転軸２１の傾き又は間隔を変更可能であるため、回転軸２１の傾きや間隔を変えることによってコマ玩具１０の動きを変更・調整することができる。また、この回転軸２１の傾き又は間隔の変更を連結部３０を交換することにより実現しているため、用意されたパーツを組み合わせるだけで容易に回転軸２１の傾き又は間隔を調整することができる。
【００６９】
また、ベルト体４０は、回転速度及び回転方向の少なくともいずれかが互いに異なるように前記複数の回転体２０に回転力を付与可能である。このため、回転体２０の回転速度や回転方向を変化させることでコマ玩具１０の動き方を変化させることができるので、動きの変化のバリエーションを豊富に提供できる。
【００７０】
また、前記複数の回転体２０は、曲面で形成された先端部２３が接地して回転する。これにより、回転軸２１が傾いたときの回転体２０の接地位置が微妙に変わり、回転軸２１の傾きを変えたことによるコマ玩具１０の動きの変化を顕著とすることができる。
【００７１】
また、前記回転体２０のパーツ交換により前記先端部２３の曲面の傾斜又は材質を変更可能である。このため、先端部２３を変更することでコマ玩具１０の動きを変化させることができ、更に動きの変化のバリエーションを豊富とすることができる。
【００７２】
なお、上記した実施形態においては、回転体２０を２つ設けた場合について説明したが、本発明の実施形態としてはこれに限らず、回転体２０を３つ以上設けてもよい。
【００７３】
また、上記した実施形態においては、回転体２０と連結部３０とをネジ接合することとしたが、本発明の実施形態としてはこれに限らず、例えば回転体２０と連結部３０とをスライド式のラッチ構造（例えば、特開２０１０−２２８０８号公報に開示されているような公知の構造）によって連結するようにしてもよい。
【００７４】
また、上記した実施形態においては、回転軸２１の傾き又は間隔の変更を連結部３０を交換することにより行うこととしたが、本発明の実施形態としてはこれに限らず、例えば連結部３０自体が変形することにより回転軸２１の傾き又は間隔が変更できるようにしてもよい。
【００７５】
また、上記した実施形態においては、ボディ部２２を単一部材で形成することとしたが、本発明の実施形態としてはこれに限らず、例えば複数のパーツの組み合わせによってボディ部２２を形成するようにしてもよい。このような態様によれば、パーツの組み合わせの数だけボディ部２２のデザインのバリエーションを増加させることができるので、遊び方の幅を広げることができる。
【符号の説明】
【００７６】
１０  コマ玩具
１１  ケース体
１１ａ  ベルト差込口
１１ｂ  ベルト挿通路
１２  上カバー
１３  下カバー
１３ａ  溝部
１３ｂ  連結狭持部
１３ｃ  連結用ネジ孔
１３ｄ  歯車収容部
１３ｅ  カバー固定用ネジ孔
１４  第１歯車
１４ａ  第１回転軸
１５  第２歯車
１６  カバー固定ネジ
１７  連結ネジ
２０  回転体
２１  回転軸
２１ａ  雄ネジ部
２２  ボディ部
２３  先端部
３０  連結部
３１  ブリッジ
３２  連結端部
３２ａ  ネジ孔
４０  ベルト体（加勢手段）
４１  ラックギア
４２  取っ手
【図１】
0003170339.tif 000003
【図２】
0003170339.tif 000004
【図３】
0003170339.tif 000005
【図４】
0003170339.tif 000006
【図５】
0003170339.tif 000007
【図６】
0003170339.tif 000008
【図７】
0003170339.tif 000009
【図８】
0003170339.tif 000010
【図９】
0003170339.tif 000011
【図１０】
0003170339.tif 000012
【図１１】
0003170339.tif 000013
【図１２】
0003170339.tif 000014
【図１３】
0003170339.tif 000015
【図１４】
0003170339.tif 000016
【手続補正書】
【提出日】平成23年6月28日(2011.6.28)
【手続補正１】
【補正対象書類名】実用新案登録請求の範囲
【補正対象項目名】全文
【補正方法】変更
【補正の内容】
【実用新案登録請求の範囲】
【請求項１】
独立して回転する複数の回転体と、
前記複数の回転体をそれぞれ回転軸を介して回転可能に保持する複数のケース部と、
前記ケース部の間に設けられて前記複数の回転体を連結する連結部と、
を備えることを特徴とする、コマ玩具。
【請求項２】
前記複数の回転体の回転軸は互いに平行ではないことを特徴とする、請求項１記載のコマ玩具。
【請求項３】
前記複数の回転体の回転軸の傾き又は間隔を変更可能であることを特徴とする、請求項１又は２記載のコマ玩具。
【請求項４】
前記連結部を交換することにより、前記複数の回転体の回転軸の傾き又は間隔を変更可能であることを特徴とする、請求項３記載のコマ玩具。
【請求項５】
前記複数の回転体に任意の回転速度及び回転方向で回転力を付与するための加勢手段を備えていることを特徴とする、請求項１〜４のいずれかに記載のコマ玩具。
【請求項６】
前記加勢手段は、回転速度及び回転方向の少なくともいずれかが互いに異なるように前記複数の回転体に回転力を付与可能であることを特徴とする、請求項５記載のコマ玩具。
【請求項７】
前記複数の回転体は、曲面で形成された先端部が接地して回転することを特徴とする、請求項１〜６のいずれかに記載のコマ玩具。
【請求項８】
前記回転体のパーツ交換により前記先端部の曲面の傾斜又は材質を変更可能であることを特徴とする、請求項７記載のコマ玩具。
【手続補正２】
【補正対象書類名】明細書
【補正対象項目名】００２５
【補正方法】変更
【補正の内容】
【００２５】
請求項１に記載の考案は上記の通りであり、独立して回転する複数の回転体と、前記複数の回転体をそれぞれ回転軸を介して回転可能に保持する複数のケース部と、前記ケース部の間に設けられて前記複数の回転体を連結する連結部と、を備えている。これにより、独立して回転する複数の回転体が相互干渉してコマ玩具の動きを決定するように形成されているとともに、複数の回転体の回転速度や回転方向を変化させることで様々な動き方をするように形成されている。よって、今までにない特徴的な動きをするコマ玩具を提供することができる。